(57)【要約】【課題】視認性を抑制し、かつ解読性の低下を抑えることが可能な不可視パターンを付与することができる画像形成装置を提供する。【解決手段】画像形成装置は、複数の基本ドットパターンからなる分散されたドットパターンを、不可視マークとして画像に埋込んで出力する。用いる基本ドットパターンＥ〜Ｇは、画像形成を行なう画像に所定の周期で埋込まれるものであり、１つの基本ドットパターンにおいては、点灯ドット、または隣接する点灯ドットのグループが複数含まれ、それら複数の点灯ドットまたは点灯ドットのグループは、他の点灯ドットまたは点灯ドットのグループから１画素以上の間隔をあけて配置される。【選択図】図６
2008017324.tif 000002
【特許請求の範囲】
【請求項１】
複数の基本ドットパターンからなる分散されたドットパターンを、不可視マークとして画像に埋め込んで出力する画像形成装置であって、
画像データに基づいて画像形成を行う画像形成手段と、
前記分散されたドットパターンを構成するための画素データを発生するパターン発生手段とを備え、
前記分散されたドットパターンを構成する１つの基本ドットパターンを複数の画素で形成し、
前記基本ドットパターンは、画像形成を行なう画像に所定の周期で埋め込まれるものであり、
前記１つの基本ドットパターンにおいては、点灯ドット、または隣接する点灯ドットのグループが複数含まれ、それら複数の点灯ドットまたは点灯ドットのグループは、他の点灯ドットまたは点灯ドットのグループから１画素以上の間隔をあけて配置される、画像形成装置。
【請求項２】
前記パターン発生手段は、複数種類の基本ドットパターンを発生させることが可能であり、
入力画像に基づいて、画像のあるところとないところとで用いる基本ドットパターンを変更することを特徴とする、請求項１に記載の画像形成装置。
【請求項３】
前記パターン発生手段は、画像のあるところではパターンを付加しないことを特徴とする、請求項１または２に記載の画像形成装置。
【請求項４】
前記パターン発生手段は、複数種類の基本ドットパターンを発生させることが可能であり、
環境を検出する検出部をさらに備え、
前記検出部で検出された環境に基づいて、用いる基本ドットパターンの種類を変更することを特徴とする、請求項１〜３のいずれかに記載の画像形成装置。
【請求項５】
前記パターン発生手段は、複数種類の基本ドットパターンを発生させることが可能であり、
画像形成を行なうメディアを判定する判定部をさらに備え、
前記判定部で判定されたメディアに基づいて、用いる基本ドットパターンの種類を変更することを特徴とする、請求項１〜４のいずれかに記載の画像形成装置。
【請求項６】
前記パターン発生手段は、所定のメディアに対してはパターンを付加しないことを特徴とする、請求項１〜５のいずれかに記載の画像形成装置。
【請求項７】
複数の基本ドットパターンからなる分散されたドットパターンを、不可視マークとして画像に埋め込んで出力する画像形成装置の制御方法であって、
画像データに基づいて画像形成を行う画像形成ステップと、
前記分散されたドットパターンを構成するための画素データを発生するパターン発生ステップとを前記画像形成装置において実行させ、
前記分散されたドットパターンを構成する１つの基本ドットパターンを複数の画素で形成し、
前記基本ドットパターンは、画像形成を行なう画像に所定の周期で埋め込まれるものであり、
前記１つの基本ドットパターンにおいては、点灯ドット、または隣接する点灯ドットのグループが複数含まれ、それら複数の点灯ドットまたは点灯ドットのグループは、他の点灯ドットまたは点灯ドットのグループから１画素以上の間隔をあけて配置される、画像形成装置の制御方法。
【発明の詳細な説明】
【技術分野】
【０００１】
この発明は画像形成装置、および画像形成装置の制御方法に関し、特に複数の基本ドットパターンからなる分散されたドットパターンを、不可視マークとして画像に埋め込んで出力する画像形成装置、および画像形成装置の制御方法に関する。
【背景技術】
【０００２】
従来より、電子写真方式の複写機、プリンタ、ファクシミリ装置などの画像形成装置が知られている。
【０００３】
カラー画像形成装置において、形成する画像に、人間の目で識別しにくい不可視マークとしての偽造追跡コード等を付加し、犯罪等の追跡に役立たせることが考えられている。
【０００４】
例えば、タンデム方式の画像形成装置では、イエローの形成画像に偽造追跡コードを付加していく方法が一般に知られている。紙幣や有価証券等の画像形成が禁止されているはずの画像、あるいは複写が禁止されているはずの画像が形成された場合、画像から不可視マーク（付加情報）を解読することで、画像を形成した装置等を特定することが可能になる。
【０００５】
下記特許文献１には、追跡用記録パターンを形成するための追跡用パターン信号を発生する発生手段において、パターンを構成するドットの数やドットの面積、およびパターンの大きさが変更できるようにパターン信号を補正する画像処理装置が開示されている。
【特許文献１】特開２００４−２８９８７３号公報
【発明の開示】
【発明が解決しようとする課題】
【０００６】
しかしながら、従来の画像形成装置においては、画像形成装置を取り巻く環境変化（温度／湿度）や劣化によって、現像性能や転写性能が変化してしまい、形成画像が不安定になってしまうことがあった。
【０００７】
そのような状況下で偽造追跡コード等の不可視マークを付加する場合、不可視マークを大きく構成すると、視認性を高めてしまい印字品位の低下を招き、また逆に不可視マークを小さく構成すると、付加情報の解読性が低下するという問題があった。
【０００８】
また、一般に高湿環境ではトナーの流動性が低下して感光体上のトナー像が凝集しやすくなり、細線や網点など（不可視マーク含む）のトナー像を中間転写ベルトに転写する（１次転写する）際に、転写ニップ部で荷重が集中し、細線や網点などの中央部のトナーが欠けて転写不良（中抜け）を起こすことがあり、不可視マークについては解読性が低下する傾向があった。
【０００９】
この発明は上記問題点を解決するためになされたものであり、視認性を抑制し、かつ解読性の低下を抑えることが可能なパターンを付与することができる画像形成装置、および画像形成装置の制御方法を提供することを目的としている。
【課題を解決するための手段】
【００１０】
上記目的を達成するためこの発明のある局面に従うと、複数の基本ドットパターンからなる分散されたドットパターンを、不可視マークとして画像に埋め込んで出力する画像形成装置は、画像データに基づいて画像形成を行なう画像形成手段と、分散されたドットパターンを構成するための画素データを発生するパターン発生手段とを備え、分散されたドットパターンを構成する１つの基本ドットパターンを複数の画素で形成し、基本ドットパターンは、画像形成を行なう画像に所定の周期で埋め込まれるものであり、１つの基本ドットパターンにおいては、点灯ドット、または隣接する点灯ドットのグループが複数含まれ、それら複数の点灯ドットまたは点灯ドットのグループは、他の点灯ドットまたは点灯ドットのグループから１画素以上の間隔をあけて配置される。
【００１１】
好ましくはパターン発生手段は、複数種類の基本ドットパターンを発生させることが可能であり、画像形成装置は、入力画像に基づいて、画像のあるところとないところとで用いる基本ドットパターンを変更することを特徴とする。
【００１２】
好ましくはパターン発生手段は、画像のあるところではパターンを付加しないことを特徴とする。
【００１３】
好ましくはパターン発生手段は、複数種類の基本ドットパターンを発生させることが可能であり、画像形成装置は、環境を検出する検出部をさらに備え、検出部で検出された環境に基づいて、用いる基本ドットパターンの種類を変更することを特徴とする。
【００１４】
好ましくはパターン発生手段は、複数種類の基本ドットパターンを発生させることが可能であり、画像形成装置は、画像形成を行なうメディアを判定する判定部をさらに備え、判定部で判定されたメディアに基づいて、用いる基本ドットパターンの種類を変更することを特徴とする。
【００１５】
好ましくはパターン発生手段は、所定のメディアに対してはパターンを付加しないことを特徴とする。
【００１６】
この発明の他の局面に従うと、複数の基本ドットパターンからなる分散されたドットパターンを、不可視マークとして画像に埋め込んで出力する画像形成装置の制御方法は、画像データに基づいて画像形成を行なう画像形成ステップと、分散されたドットパターンを構成するための画素データを発生するパターン発生ステップとを画像形成装置において実行させ、分散されたドットパターンを構成する１つの基本ドットパターンを複数の画素で形成し、基本ドットパターンは、画像形成を行なう画像に所定の周期で埋め込まれるものであり、１つの基本ドットパターンにおいては、点灯ドット、または隣接する点灯ドットのグループが複数含まれ、それら複数の点灯ドットまたは点灯ドットのグループは、他の点灯ドットまたは点灯ドットのグループから１画素以上の間隔をあけて配置される。
【発明の効果】
【００１７】
これらの発明に従うと、視認性を抑制し、かつ解読性の低下を抑えることが可能なパターンを付与することができる画像形成装置、および画像形成装置の制御方法を提供することが可能となる。
【発明を実施するための最良の形態】
【００１８】
以下、本発明に係る画像形成装置の実施の形態を、タンデム型カラーデジタル複写機（以下、単に「複写機」という。）を例に挙げて説明する。
【００１９】
［複写機全体の構成］
図１は、複写機の全体の構成を示す図である。
【００２０】
同図に示すように複写機は、原稿画像を読取るイメージリーダ部１０と、読取った画像を記録シートＳ上にプリントして再現するプリンタ部２０とから構成されている。
【００２１】
イメージリーダ部１０は、原稿ガラス板（不図示）に載置された原稿の画像をスキャナを移動させて読取るものである。原稿画像は、赤（Ｒ）、緑（Ｇ）、青（Ｂ）の三色に色分解されて、不図示のＣＣＤイメージセンサ（以下、「ＣＣＤセンサ」という）により電気信号に変換され、これにより原稿のＲ、Ｇ、Ｂの画像データが得られる。
【００２２】
このイメージリーダ部１０で得られた各色成分毎の画像データは、制御部３０において各種のデータ処理を受け、更にシアン（Ｃ）、マゼンタ（Ｍ）、イエロー（Ｙ）、ブラック（Ｋ）の各再現色の画像データに変換される（以下、シアン、マゼンタ、イエロー、ブラックの各再現色をＣ、Ｍ、Ｙ、Ｋと表し、各再現色に関連する構成部分の番号にこのＣ、Ｍ、Ｙ、Ｋを添字として付加する）。
【００２３】
画像データは、制御部３０内の画像メモリ３３に各再現色ごとに格納され、位置ずれ補正のための必要な画像補正を受けた後、記録シートＳの供給と同期して１走査ラインごとに読出され、レーザーダイオード（ＬＤ）の駆動信号となる。プリンタ部２０は、電子写真方式により画像を形成するものである。中間転写ユニット６０には、駆動ローラ６１、従動ローラ６２の間に中間転写ベルト１０３が従動ローラに設けられたテンションばね６３によって張架されている。
【００２４】
中間転写ベルト１０３に対向して、中間転写ベルトクリーナー側（以下、単に「上流側」という。）から記録シートＳ搬送側（以降、単に「下流側」という。）に沿って所定間隔で配置されたＹ、Ｍ、Ｃ、Ｋの各色の作像部４０Ｙ〜４０Ｋと、感光体のトナー像を中間転写ベルトに転写する、転写ローラ４５Ｙ〜４５Ｋと、中間転写ベルト上のトナー像を、記録シートに２次転写する２次転写ローラ１０４と、中間転写ベルト上の残留トナーを除去する、中間転写ベルトクリーナー１０５と、記録シート搬送部の上流側に配置された給紙部５０と、下流側に配置された公知の定着部８０とが設けられている。プリンタ部のジャム、寿命などの情報はパネル部２００に表示される。
【００２５】
各作像部４０Ｙ〜４０Ｋは、それぞれ露光走査部７０Ｙ〜７０Ｋと画像プロセス部とから構成されている。露光走査部７０Ｙ〜７０Ｋは、上記制御部３０から出力された駆動信号を受けて光を発するレーザーダイオード（ＬＤ）４６Ｙ〜４６Ｋを備える。
【００２６】
画像プロセス部は、感光体ドラム４１Ｙ〜４１Ｋと、これを中心にしてその周囲に配された、帯電チャージャ４２Ｙ〜４２Ｋ、現像器４３Ｙ〜４３Ｋ、およびクリーナ４４Ｙ〜４４Ｋなどからなる。
【００２７】
給紙部５０は、記録シートＳを収納しておくための給紙カセット５１と、この記録シートＳを給紙カセット５１から繰り出すための給紙ローラ５２と、中間転写ベルト１０３に繰り出すタイミングをとるためのレジストローラ５３とからなり、レジストローラ５３の上流側直前には、記録シートＳの先端を検出するためのシート検出センサＳＥ１が設けられている。
【００２８】
記録シートＳの先端がレジストローラ５３に到達するとこのシート検出センサＳＥ１により検出されるので、制御部３０は、この検出信号を受信してタイミングを取りながら、レジストローラ５３の駆動部（不図示）に先端レジストローラ信号を発してレジストローラ５３による給紙を開始させ、記録シートＳを中間転写ベルト１０３方向に送る。
【００２９】
露光走査部７０Ｙ〜７０Ｋのレーザーダイオード（ＬＤ）４６Ｙ〜４６Ｋは、制御部３０からの駆動信号を受けて光をそれぞれ出射し、この光が、感光体ドラム４１Ｙ〜４１Ｋの表面をそれぞれ露光走査する。
【００３０】
感光体ドラム４１Ｙ〜４１Ｋは、露光を受ける前にクリーナ４４Ｙ〜４４Ｋで表面の残存トナーが除去され、さらにイレーサランプ（不図示）に照射されて除電された後、帯電チャージャ４２Ｙ〜４２Ｋにより一様に帯電されている。このように一様に帯電した状態でＬＤ光による露光を受けると、感光体ドラム４１Ｙ〜４１Ｋの表面に静電潜像が形成される。
【００３１】
各静電潜像は、それぞれ各色の現像器４３Ｙ〜４３Ｋにより現像され、これにより感光体ドラム４１Ｙ〜４１Ｋ表面にＹ、Ｍ、Ｃ、Ｋのトナー像が形成される。転写ローラ４５Ｙ〜４５Ｋに電圧が印加され、感光体上のトナー像が、中間転写ベルト１０３上に順次転写されていく。この際、各色の作像動作においては、トナー像が搬送されてくる中間転写ベルトの同じ位置に重ねて転写されるように、上流側から下流側に向けてタイミングをずらして実行される。
【００３２】
図２は、転写ベルト部分の詳細を示す図である。
中間転写ベルト上に形成された画像は２次転写部まで搬送され、そこで記録シートＳに２次転写が行なわれる。各色のトナー像が転写された記録シートＳは、定着部８０にまで搬送されて、ここで高熱で加圧されて記録シートＳ表面のトナー粒子がシート表面に熔融付着して定着し、その後、排紙トレイ上に排出される。
【００３３】
また、２次転写部で、記録シートＳに２次転写された後のベルト上に残った残留トナーは中間転写ベルトクリーナー１０５によって回収され、スクリュー１０６（図１参照）にて装置手前側に搬送され、ジョイント１０７を介して廃トナーボックス１０８に送られる。
【００３４】
なお、画像形成装置の構成は本実施の形態に限定されない。モノクロ／カラーの複写機、プリンタ、ＦＡＸやこれらの複合機などに本発明を適用することができる。さらに、装置のエレメントの配置は本実施の形態に限定されない。これらは、装置に応じて適時変更してかまわない。
【００３５】
図３は、複写機の回路構成を示すブロック図である。
図を参照して、複写機は画像入力部３００と、画像補正部４００と、用いる基本ドットパターンを選択するパターン選択部４０７と、複数の基本ドットパターンを記憶するパターンメモリ４０９と、パターン発生部４１１と、画像合成部４１３と、画像出力部５００とを備えている。
【００３６】
画像入力部３００は、入出力インタフェース３０１と、ＣＣＤ３０３と、Ａ／Ｄ変換部３０５と、シェーディング補正部３０７と、Ｒ−Ｄ変換部３０９と、色マッピング部３１１とを備えている。
【００３７】
画像補正部４００は、γ補正処理部４０１と、空間フィルタ処理部４０３と、スクリーンｏｒ誤差拡散処理部４０５とを備えている。
【００３８】
画像出力部５００は、ＬＤ駆動部５０１を備えている。
図４は、１つの基本ドットパターンを形成する複数の画素データの例を比較例として示す図である。
【００３９】
図中、ハッチングのドットが点灯ドットを示している。ここでは（Ａ）〜（Ｄ）の４種類の基本ドットパターンが示されており、これらの構成パターンが付加情報となり、画像に付加される。ここでは、基本ドットパターンは横８×縦４ドットから構成されることとしている。
【００４０】
図５は、基本ドットパターンを複数並べることで画像に情報を埋込む例を示す図である。
【００４１】
ここでは、図４の（Ａ）のドットを印刷する画像に対して周期的に埋め込むことで、情報の埋込みが行なわれている。
【００４２】
図６は、各基本ドットパターンにおける視認性と解読性を評価した表を示す図である。
図中のパターンＡ〜Ｄは、図４のパターン（Ａ）〜（Ｄ）を示している。各パターンにおいて、低湿環境の視認性、高湿環境の解読性、および総合判定が、◎、○、△、×により評価されている。
【００４３】
パターンＡ、Ｂ、Ｃは、視認性は問題ないが付加情報の解読性については劣っている。一方パターンＤは、解読性については問題ないが視認性については劣っている。
【００４４】
以上の観点から、本実施の形態においては、パターンＥ、Ｆ、Ｇを基本ドットパターンとして採用する。
【００４５】
パターンＥ、Ｆ、Ｇにおいては、１画素以上間隔をあけてドットを配置することで転写ニップ部での荷重集中を緩和することとしている。より詳しくは、基本ドットパターンに含まれる点灯ドット（または隣接する点灯ドットのグループ）が、主走査方向（横方向）および副走査方向（縦方向）の両者において、少なくとも１ドットの間隔をあけて、近接する点灯ドットから分離していることを特徴としている。
【００４６】
より詳しくは、パターンＥでは点灯ドットは３つであり、それらそれぞれが分離している。１つの点灯ドットの周囲１画素の範囲内には、他の点灯ドットが存在していない。
【００４７】
パターンＦでは点灯ドットは６つであり、縦に並ぶ２つの点灯ドットが１つのグループを構成し、３つのグループが存在している。１つのグループそれぞれは、他のグループから分離している。すなわち、１つのグループの画素の周囲１画素の範囲内には、他の点灯ドットが存在していない。
【００４８】
パターンＧでは点灯ドットは６つであり、横に並ぶ３つの点灯ドットが１つのグループを構成し、２つのグループが存在している。１つのグループそれぞれは、他のグループから分離している。１つのグループの画素の周囲１画素の範囲内には、他の点灯ドットが存在していない。
【００４９】
また、上記の通り基本ドットパターンに含まれる点灯ドットは、主走査方向（横方向）および副走査方向（縦方向）の両者において、少なくとも１ドットの間隔をあけて、他の点灯ドットから分離するように構成されるが、間隔の最大値は以下のとおりとされる。
【００５０】
基本ドットパターンに含まれる点灯ドット同士の間隔の最大は、主走査方向（横方向）においては、（主走査方向の最大ドット数−２）とされる。ここに、主走査方向の最大ドット数とは、基本ドットパターンの横方向のドット数を示し、図６のパターンの例では、８である。
【００５１】
また、基本ドットパターンに含まれる点灯ドット同士の間隔の最大は、副走査方向（縦方向）においては、（副走査方向の最大ドット数−２）とされる。ここに、副走査方向の最大ドット数とは、基本ドットパターンの縦方向のドット数を示し、図６のパターンの例では、４である。
【００５２】
図７は、基本ドットパターンに含まれる点灯ドットの最大間隔を示す図である。
基本ドットパターンが横８×縦４のドットで構成されるのであれば、点灯ドットの最大の間隔は、横方向で８−２＝６ドット、縦方向で４−２＝２ドットとなる。またこの場合、基本ドットパターンを繰返して並べると点灯ドット同士が隣接することとなるため、主走査方向の点灯ドットの最大間隔を、主走査方向の最大ドット数−３、副走査方向の点灯ドットの最大間隔を、副走査方向の最大ドット数−３としてもよい。
【００５３】
図８は、比較例における基本ドットパターンを示す図である。
本実施例における基本ドットパターンは、１画素以上間隔をあけてドットを配置するものであるが、図８は、１画素以上間隔をあけてドットを配置していない例である。より詳しくは図８においては、基本ドットパターンに含まれる点灯ドットが、他の点灯ドットと接している。
【００５４】
本実施の形態においては、パターンＥ〜Ｇに示されるような基本ドットパターンを用いて画像を形成することにより、１次転写時での転写不良が改善され、不可視マーク（基本ドットパターン）の視認性の抑制を維持しつつ解読性向上が図れる。
【００５５】
なお、点灯ドットの間隔を１ｍｍ以上あけると荷重集中を緩和することが難しくなり、転写不良が発生する可能性があるため、点灯ドットの間隔は１ｍｍ以下とすることが望ましい。
【００５６】
［第１の応用例］
図９は、本発明を応用した画像形成装置のブロック図である。
【００５７】
図を参照して画像形成装置は、画像入力部６０１と、入力された画像を補正する画像補正部６０７と、入力画像に基づいてパターンを選択するパターン選択部６０３と、選択されたパターンに基づいて基本ドットパターンを発生させるパターン発生部６０５と、補正された画像と発生されたパターンとを合成する画像合成部６０９と、合成された画像を出力（プリントなど）する画像出力部６１１とから構成される。
【００５８】
パターン選択部６０３は、ラスタスキャン方向に順次送られる入力画像信号から、画像位置毎にパターンを選択する。
【００５９】
図１０は、図９のパターン選択部６０３の動作を示すフローチャートである。
図を参照してステップＳ１０１において、入力画像から特徴量を算出する。ステップＳ１０３において、ラスタスキャン方向に順次送られる入力画像信号を分析し、周辺に画像があるかを判定する。ない場合には、ステップＳ１０５においてパターンＡを設定し、ある場合は、ステップＳ１０７においてパターンＢを設定する。
【００６０】
図１０の処理は、入力画像信号がある間、繰返し行なわれる。このようにして、画像の有無によってパターンの切替えが行なわれる。
【００６１】
より詳しくは、図９のパターン選択部６０３は、画像信号から、処理画素の周辺領域中に画像信号が存在するかどうかの判定を行なう。具体的には、Ｍ×Ｎ（ＭおよびＮは、共に正の整数）の画素領域中の画像信号を用いることで、次のいずれであるかが判定される。
【００６２】
（１）  周辺に画像がある。
（２）  周辺に画像がない（いわゆる白ベタ）。
【００６３】
次に、この判定結果に従って、以下の選択を行なう。
上記（１）の場合、パターンＢを選択する。また、（２）の場合、パターンＡを選択する。
【００６４】
なお、上記判定は、イエローの画像信号を用いて、領域内の画素の、例えば最大階調レベルがゼロか否か、または所定値以下か否かで行なうことができる。更には、以下のように、イエローに加え、他の色（シアン、マゼンタ、ブラック）の情報を判定基準に用いてもよい。すなわち、
（Ｙ最大階調レベル）＋（Ｍ平均階調レベル）×Ｗｍ
＋（Ｃ平均階調レベル）×Ｗｃ
＋（Ｋ平均階調レベル）×Ｗｋ
を用いて、周辺に画像があるか否かを判定してもよい。なおここで、Ｗｍ、Ｗｃ、Ｗｋはウェイトで、１≧Ｗｍ≧Ｗｃ≧Ｗｋ≧０の関係を満たす。
【００６５】
図１１は、パターンＡとＢとの具体例を示す図である。
図に示されるように、基本ドットパターンにおいて、周囲に画像がある場合の基本パターンの点灯ドット数を、周囲に画像がない場合よりも少なくしている。これにより、画像パターンのあるところは転写ニップの荷重集中が緩和でき、視認性の評価を良好に保つことができる。
【００６６】
なお、画像があるところにおいては、パターンを付加しないようにしてもよい。
［第２の応用例］
図１２は、本発明を応用した画像形成装置のブロック図である。
【００６７】
図を参照して画像形成装置は、画像入力部７０７と、入力された画像を補正する画像補正部７０９と、環境を検出する環境検出部７０１と、検出された環境に基づいてパターンを選択するパターン選択部７０３と、選択されたパターンに基づいて基本ドットパターンを発生させるパターン発生部７０５と、補正された画像と発生されたパターンとを合成する画像合成部７１１と、合成された画像を出力（プリントなど）する画像出力部７１３とから構成される。
【００６８】
図１３は、図１２のパターン選択部７０３の動作を示すフローチャートである。
図を参照してステップＳ２０１において、環境検出部７０１の信号から環境情報（温湿度情報）を取得する。ステップＳ２０３において、絶対水分量が２０ｇ／ｍ３以上であるかが判定される。ＹＥＳであれば、ステップＳ２０５においてパターンＡを設定する。
【００６９】
ステップＳ２０３でＮＯであれば、ステップＳ２０７において、絶対水分量が１０ｇ／ｍ３以上であるかが判定される。ＹＥＳであれば、ステップＳ２０９においてパターンＢを設定する。
【００７０】
ステップＳ２０７でＮＯであれば、ステップＳ２１１においてパターンＣを設定する。
このようにして、本応用例においては、環境条件によりパターンが切替えられる。
【００７１】
なお、パターンを変える以外にも、パターンと階調レベルとの少なくとも一方を変えるように制御しても構わない。
【００７２】
図１４は、パターンＡ〜Ｃの具体例を示す図である。
本応用例においては、視認性を向上させ、解読性をさらに上げることができる。すなわち、高湿環境ではトナーの流動性が低下し、トナー像が凝集しやすいためパターンは大きく（点灯ドットを増やして）構成し、低湿環境ではトナー像が凝集しにくいためパターンは小さく（点灯ドットを少なくして）構成している。
【００７３】
［第３の応用例］
図１５は、本発明を応用した画像形成装置のブロック図である。
【００７４】
図を参照して画像形成装置は、画像入力部８０７と、入力された画像を補正する画像補正部８０９と、プリントを行なうメディアの種別を設定（または検出）するメディア種設定部８０１と、メディアの種類に基づいてパターンを選択するパターン選択部８０３と、選択されたパターンに基づいて基本ドットパターンを発生させるパターン発生部８０５と、補正された画像と発生されたパターンとを合成する画像合成部８１１と、合成された画像を出力（プリントなど）する画像出力部８１３とから構成される。
【００７５】
図１６は、図１５のパターン選択部８０３の動作を示すフローチャートである。
図を参照してステップＳ３０１において、メディア種設定部８０１の信号からメディアの情報を取得する。ステップＳ３０３において、メディアがＡ（コート紙）であるかが判定される。ＹＥＳであれば、ステップＳ３０５においてパターンＣを設定する。
【００７６】
ステップＳ３０３でＮＯであれば、ステップＳ３０７において、メディアがＢ（再生紙）であるかが判定される。ＹＥＳであれば、ステップＳ３０９においてパターンＡを設定する。
【００７７】
ステップＳ３０７でＮＯであれば、ステップＳ３１１においてパターンＢを設定する。
このようにして、本応用例においては、使用するメディアによりパターンが切替えられる。
【００７８】
なお、パターンを変える以外にも、パターンと階調レベルとの少なくとも一方を変えるように制御しても構わない。
【００７９】
図１７は、パターンＡ〜Ｃの具体例を示す図である。
本応用例においては、視認性を向上させ、解読性をさらに上げることができる。すなわち、メディア（転写材）は、２次転写や定着での影響が種類によって異なる。平滑性の高いコート紙などを用いる際には、パターンは小さく（点灯ドットを少なくして）構成している。一方、再生紙などの平滑性の低いメディアを用いる際には、パターンは大きく（点灯ドットを増やして）構成している。
【００８０】
なお、所定のメディアに対してはパターンを付加しないように装置を構成してもよい。
［実施の形態における効果］
以上の構成により、複数の基本ドットからなる分散されたドットパターンを、不可視マークとして画像に埋め込んで出力する画像形成装置において、画像の違いやメディア種の違いや環境変動などがあっても、偽造追跡などに用いられる不可視マークの視認性を抑制し、かつ解読性の低下を抑えることが可能となる。
【００８１】
より詳しくは、不可視マーク形成手段を用いて形成画像に不可視マークを付加していく場合、１つの基本ドットを形成する複数の画素データの一部において、少なくとも１画素以上間隔をあけることで、転写ニップ部での荷重集中を緩和することができる。これにより、１次転写時での転写不良が改善され、不可視マークの視認性の抑制を維持しつつ解読性の向上が図れる。
【００８２】
［その他］
本発明はＭＦＰ、ファクシミリ装置、複写機、ＰＣなどの画像形成装置に対して実施することができる。
【００８３】
また、上述の実施の形態における処理は、ソフトウエアによって行なっても、ハードウエア回路を用いて行なってもよい。
【００８４】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８５】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８６】
【図１】複写機の全体の構成を示す図である。
【図２】転写ベルト部分の詳細を示す図である。
【図３】複写機の回路構成を示すブロック図である。
【図４】１つの基本ドットパターンを形成する複数の画素データの例を比較例として示す図である。
【図５】基本ドットパターンを複数並べることで画像に情報を埋込む例を示す図である。
【図６】各基本ドットパターンにおける視認性と解読性を評価した表を示す図である。
【図７】基本ドットパターンに含まれる点灯ドットの最大間隔を示す図である。
【図８】比較例における基本ドットパターンを示す図である。
【図９】本発明を応用した画像形成装置のブロック図である。
【図１０】図９のパターン選択部６０３の動作を示すフローチャートである。
【図１１】パターンＡとＢとの具体例を示す図である。
【図１２】本発明を応用した画像形成装置のブロック図である。
【図１３】図１２のパターン選択部７０３の動作を示すフローチャートである。
【図１４】パターンＡ〜Ｃの具体例を示す図である。
【図１５】本発明を応用した画像形成装置のブロック図である。
【図１６】図１５のパターン選択部８０３の動作を示すフローチャートである。
【図１７】パターンＡ〜Ｃの具体例を示す図である。
【符号の説明】
【００８７】
１０  イメージリーダ部、２０  プリンタ部、３０  制御部、３３  画像メモリ、３００  画像入力部、４００  画像補正部、４０７  パターン選択部、４０９  パターンメモリ、４１１  パターン発生部、４１３  画像合成部、５００  画像出力部、６０１  画像入力部、６０３  パターン選択部、６０５  パターン発生部、６０７  画像補正部、６０９  画像合成部、６１１  画像出力部、７０１  環境検出部、７０３  パターン選択部、７０５  パターン発生部、７０７  画像入力部、７０９  画像補正部、７１１  画像合成部、７１３  画像出力部、８０１  メディア種設定部、８０３  パターン選択部、８０５  パターン発生部、８０７  画像入力部、８０９  画像補正部、８１１  画像合成部、８１３  画像出力部。
【図１】
2008017324.tif 000003
【図２】
2008017324.tif 000004
【図３】
2008017324.tif 000005
【図４】
2008017324.tif 000006
【図５】
2008017324.tif 000007
【図６】
2008017324.tif 000008
【図７】
2008017324.tif 000009
【図８】
2008017324.tif 000010
【図９】
2008017324.tif 000011
【図１０】
2008017324.tif 000012
【図１１】
2008017324.tif 000013
【図１２】
2008017324.tif 000014
【図１３】
2008017324.tif 000015
【図１４】
2008017324.tif 000016
【図１５】
2008017324.tif 000017
【図１６】
2008017324.tif 000018
【図１７】
2008017324.tif 000019